(57)【要約】      （修正有）【課題】簡単な構成で、操作性に優れ、かつ、耐久性に優れた留め具を提供する。【解決手段】雌ホック３０は、一対の係合突起部３０１ａ、３０１ｂと挿入口とを上面に備えた全体略円筒形の基体３００を備え、基体の底部３０２において、基体の平面中心を含む位置に第２磁石３１０が配置され、一対の係合突起部は、基体の外周に沿った位置であって、平面中心に関して対称な位置に設けられ、挿入口３０４ａ、３０４ｂは、基体の外周に沿った位置であって、一対の係合突起部に挟まれた位置に設けられ、底部において、第２磁石に対応する位置に係入部２１０の先端部を係入可能な係入孔３１１が設けられ、挿入口から基体の内部に係入された雄ホック２０は、第１磁石２２０が第２磁石に正対する位置まで移動し、この位置において、係入部が係入孔に係入するとともに、突縁部２０３が一対の係合突起部の内壁に当接することによって、雌ホックに係合される。【選択図】図５
0003226794.tif 000002
【実用新案登録請求の範囲】
【請求項１】
雄ホックと雌ホックとからなる留め具であって、
前記雄ホックは、
全体略柱状をなし、放射方向に張り出す突縁部を備えた本体部と、
前記本体部の中心軸に沿って変位可能に前記本体部に設けられた係入部と、
前記本体部の前記中心軸の近傍に設けられた第１磁石と、
前記係入部の先端側が前記本体部から離れる方向に前記係入部を付勢する付勢手段とを備え、
前記雌ホックは、一対の係合突起部と挿入口とを上面に備えた全体略円筒形の基体を備え、
前記基体の底部において、前記基体の平面中心を含む位置に第２磁石が配置され、
前記一対の係合突起部は、前記基体の外周に沿った位置であって、前記平面中心に関して対称な位置に設けられ、
前記挿入口は、前記基体の外周に沿った位置であって、前記一対の係合突起部に挟まれた位置に設けられ、
前記底部において、前記第２磁石に対応する位置に前記係入部の先端部を係入可能な係入孔が設けられ、
前記挿入口から前記基体の内部に係入された前記雄ホックは、前記第１磁石が前記第２磁石に正対する位置まで移動し、この位置において、前記係入部が前記係入孔に係入するとともに、前記突縁部が前記一対の係合突起部の内壁に当接することによって、前記雌ホックに係合されることを特徴とする留め具。
【請求項２】
前記挿入口は、前記一対の係合突起部の間に一対設けられ、
前記雄ホックは、前記一対の挿入口のいずれかから前記基体の内部に挿入される請求項１に記載の留め具。
【請求項３】
前記一対の係合突起部は、前記平面中心に関して、互いに対称な形状を有し、
前記一対の挿入口は、前記平面中心に関して、互いに対称な形状を有する請求項２に記載の留め具。
【請求項４】
前記一対の係合突起部は、前記基体の放射方向において外側へ凹むように形成された係合溝をそれぞれ備え、
前記雄ホックは、前記突縁部と前記係合溝とが互いに係合することによって、前記雌ホックに係合される請求項１から請求項３のいずれか１項に記載の留め具。
【請求項５】
前記係入部は、前記本体部の中心軸と同心状に配置された円柱状をなしており、
前記第１磁石は、前記本体部の中心軸及び前記係入部の中心軸と同心状に配置されたリング状をなしている請求項１から請求項４のいずれか１項に記載の留め具。
【請求項６】
前記第１磁石は、前記中心軸が延びる方向において、前記突縁部と略同一の位置に固定されている請求項５に記載の留め具。
【請求項７】
前記付勢手段は、内部に円柱状の前記係入部が挿通された圧縮コイルばねであり、一端が前記本体部に支持され、他端が前記係入部に支持される請求項５又は請求項６に記載の留め具。
【請求項８】
前記第２磁石は、中心を厚み方向に貫通させて前記係入孔が形成されたリング形状を有する請求項１から請求項７のいずれか１項に記載の留め具。
【考案の詳細な説明】
【技術分野】
【０００１】
本考案は、セカンドバッグ、ランドセルなどのかばん、財布、各種ベルト、衣類のフックボタンなどに使用され、止着する係合部と被係合部間の係合を行うための留め具に関する。
【背景技術】
【０００２】
財布、セカンドバッグなどにおいて使用される留め具としては、押ホックが広く用いられている。押ホックとしては、例えば特許文献１に示すように、全体略凸条体からなり、略円柱形状をなす先頭部の先端周部が後方周部よりも放射方向で外方に張り出すようにして先頭部の先端周部に突縁部を備える雄ホックと、上記雄ホックの先頭部を係入する雌穴を、円形をなす上面中心に備えた全体略円筒形の基体を備え、該基体の内部には、雄ホックの先頭部が雌穴から係入される状態で略円柱形状をなす雄ホックの先頭部を中心に形成される孔部に係入する全体環状のものとされ、雄ホックの突縁部と係合又は係合解除することを可能とした係合体を、前記雌穴の内部に留置する状態で位置決めする雌ホックと、からなる。この種の留め具は、止着する係合部に雄ホックを、被係合部に雌ホックを支持させるようにし、係合部と被係合部間の係合又は係合解除を可能にしている。
【先行技術文献】
【特許文献】
【０００３】
【特許文献１】特開２００９−７２３２９号公報
【考案の概要】
【考案が解決しようとする課題】
【０００４】
しかしながら、特許文献１に記載された留め具は、係合体が必要となるため部品点数が増え、製造工程が複雑となることに加え、通常弾性体で形成される係合体の弾性力が使用を繰り返すことで低下し、これにより雄ホックが雌ホックから容易に係合解除されてしまい易くなるという問題があった。
【０００５】
本考案は、こうした従来の不具合に着目してなされたものであり、簡単な構成で、操作性に優れ、かつ、耐久性に優れた留め具を提供することを目的としたものである。
【課題を解決するための手段】
【０００６】
上記課題を解決するために、本考案の留め具は、雄ホックと雌ホックとからなる留め具であって、雄ホックは、全体略柱状をなし、放射方向に張り出す突縁部を備えた本体部と、本体部の中心軸に沿って変位可能に本体部に設けられた係入部と、本体部の中心軸近傍に設けられた第１磁石と、係入部の先端側が本体部から離れる方向に係入部を付勢する付勢手段とを備え、雌ホックは、一対の係合突起部と挿入口とを上面に備えた全体略円筒形の基体を備え、基体の底部において、基体の平面中心を含む位置に第２磁石が配置され、一対の係合突起部は、基体の外周に沿った位置であって、平面中心に関して対称な位置に設けられ、挿入口は、基体の外周に沿った位置であって、一対の係合突起部に挟まれた位置に設けられ、底部において、第２磁石に対応する位置に係入部の先端部を係入可能な係入孔が設けられ、挿入口から基体の内部に係入された雄ホックは、第１磁石が第２磁石に正対する位置まで移動し、この位置において、係入部が係入孔に係入するとともに、突縁部が一対の係合突起部の内壁に当接することによって、雌ホックに係合されることを特徴としている。
【０００７】
本考案の留め具において、挿入口は、一対の係合突起部の間に一対設けられ、雄ホックは、一対の挿入口のいずれかから基体の内部に挿入されることが好ましい。
【０００８】
本考案の留め具において、一対の係合突起部は、平面中心に関して、互いに対称な形状を有し、一対の挿入口は、平面中心に関して、互いに対称な形状を有することが好ましい。
【０００９】
本考案の留め具において、一対の係合突起部は、基体の放射方向において外側へ凹むように形成された係合溝をそれぞれ備え、雄ホックは、突縁部と係合溝とが互いに係合することによって、雌ホックに係合されることが好ましい。
【００１０】
本考案の留め具において、係入部は、本体部の中心軸と同心状に配置された円柱状をなしており、第１磁石は、本体部の中心軸及び係入部の中心軸と同心状に配置されたリング状をなしていることが好ましい。
【００１１】
本考案の留め具において、第１磁石は、中心軸が延びる方向において、突縁部と略同一の位置に固定されていることが好ましい。
【００１２】
本考案の留め具において、付勢手段は、内部に円柱状の係入部が挿通された圧縮コイルばねであり、一端が本体部に支持され、他端が係入部に支持されることが好ましい。
【００１３】
本考案の留め具において、第２磁石は、中心を厚み方向に貫通させて係入孔が形成されたリング形状を有することが好ましい。
【考案の効果】
【００１４】
本考案によると、簡単な構成で、操作性に優れ、かつ、耐久性に優れた留め具を提供することができる。
【図面の簡単な説明】
【００１５】
【図１】本考案の実施形態に係る留め具が取付けられたセカンドバッグを示す斜視図である。
【図２】図１のセカンドバッグにおいて留め具の雄ホックを雌ホックから係合解除した状態を示す斜視図である。
【図３】図２のＡ部分を拡大して示した斜視図である。
【図４】係合させる前の状態の雄ホックと雌ホックの構造を示す斜視図である。
【図５】雄ホックと雌ホックの構造を示す分解斜視図である。
【図６】雄ホックと雌ホックを互いに係合させる過程を示す断面図である。
【図７】雄ホックと雌ホックの係合を解除する過程を示す断面図である。
【考案を実施するための形態】
【００１６】
以下、本考案の実施形態に係る留め具について図面を参照しつつ詳しく説明する。
図１は、本実施形態に係る留め具１００を用いたバッグ１０（かばん）の外観構成を示す斜視図、図２は、バッグ１０の折り返し蓋１２の一部を開いた状態を示す斜視図、図３は、図２のＡ部分の拡大図である。図４は、雄ホック２０を雌ホック３０に係合させる前の両者の構造を示す斜視図、図５は、雄ホック２０と雌ホック３０の構造を示す分解斜視図である。
【００１７】
図６（ａ）は雄ホック２０と雌ホック３０を互いに対向させた状態を示し、（ｂ）は（ａ）の状態から雌ホック３０内へ雄ホック２０を挿入した状態を示し、（ｃ）は（ｂ）の状態から雄ホック２０がスライドして雌ホック３０と係合した状態を示している。図７（ａ）は、雄ホック２０と雌ホック３０が互いに係合した状態を示し、（ｂ）は（ａ）の状態から係入ピン２１０を引き上げた状態を示し、（ｃ）は、（ｂ）の状態から雄ホック２０と雌ホック３０の係合を解除し、雌ホック３０から雄ホック２０を離間させた状態を示している。図６（ａ）、（ｂ）、（ｃ）と図７（ａ）、（ｂ）、（ｃ）は、図４のＢ−Ｂ’線に沿って、雄ホック２０と雌ホック３０が対向、挿入、離間、又は係合された状態を見た断面図である。
【００１８】
各図において、Ｚ１−Ｚ２方向は、折り返し蓋１２を閉じて雄ホック２０と雌ホック３０を互いに対向させたとき（図１の状態のとき）の上下方向であり、Ｘ１−Ｘ２方向は左右方向、すなわちバッグ１０の幅方向、Ｙ１−Ｙ２方向は前後方向である。そして、Ｚ１方向は上方向、Ｚ２方向は下方向、Ｙ１方向は前方向、Ｙ２方向は後方向である。以下の説明においては、特に断る場合を除いて、図１に示す方向を言うものとする。
【００１９】
本実施形態に係る留め具１００は、例えば図１と図２に示すバッグ１０（セカンドバッグ）において、開口部１１を覆う折り返し蓋１２に雄ホック２０を、折り返し蓋１２が係合される表片１３の表面（前面）に雌ホック３０を配設するようにして形成される（図１から図３参照）。
なお、留め具１００は、バッグに限らず、例えば、外套や上着などの左右の身頃に雄フックと雌フックが対をなすようにそれぞれ配置したフックボタンとして使用することもできる。
【００２０】
表片１３は、バッグ１０の本体１４の表面を構成し、開口部１１は、本体１４内の空間である収納部の上部で開いており、折り返し蓋１２は、蓋部として、バッグ１０の収納部を覆うように本体１４の上部から下側へ延びている。雄ホック２０と雌ホック３０は、折り返し蓋１２をＤ１方向（図３）に沿って閉じて雄ホック２０と雌ホック３０を互いに対向させ、さらに、雌ホック３０に対して雄ホック２０を係合することによって互いに固定される。この固定状態（図１）において、雄ホック２０の操作部２１４を、表片１３から遠ざける方向（Ｙ１方向）へ引き上げることによって、係合の解除が可能となる。
【００２１】
ここで、バッグ１０に代えてランドセルに適用する場合は、ベルト部に雄ホック２０を設け、ランドセル底面の取り付け金具に雌ホック３０を設ける。
【００２２】
＜雄ホック＞
図５に示すように、雄ホック２０は、本体部２００と、固定部材２０４と、係入部としての係入ピン２１０と、第１磁石２２０と、付勢手段としての圧縮コイルばね２３０とを備える。
【００２３】
本体部２００は、図４に示すように、折り返し蓋１２の外側（Ｙ１側）に配置される第１基体２０１と、折り返し蓋１２の内側（表片１３に面する側、Ｙ２側）に配置される第２基体２０２とを備える。第１基体２０１と第２基体２０２は、共通の中心軸ＡＸ１に沿って、折り返し蓋１２を挟んで互いに螺合することで、全体略柱状となって折り返し蓋１２に固定される。
【００２４】
第２基体２０２の後端（Ｙ２側）には、中心軸ＡＸ１を中心とした放射方向に張り出した突縁部２０３が設けられている。
【００２５】
第１基体２０１と第２基体２０２とで囲まれる内部空間２００ａには、第１基体２０１側から順に、中空円筒状の固定部材２０４、圧縮コイルばね２３０、リング状の第１磁石２２０が配置される。これらは、それぞれの中心軸が上記中心軸ＡＸ１と一致するように配置される。固定部材２０４と第１磁石２２０は、第１基体２０１内に固定されている。
【００２６】
図６（ａ）〜（ｃ）に示すように、第１磁石２２０は、中心軸ＡＸ１に沿った方向において、突縁部２０３と略同一の位置において、第２基体２０２に固定されている。すなわち、第１磁石２２０は、雄ホック２０のほぼ後端に位置している。また、第１磁石２２０は、前後方向（Ｙ１−Ｙ２方向）の両端面に互いに逆の極性の磁極を配置している。
【００２７】
図６（ａ）〜（ｃ）に示すように、第１基体２０１の内部には、中心軸が上記中心軸ＡＸ１と一致するように、すなわち同心状に延びるように、係入ピン２１０が配置されている。この係入ピン２１０は、円柱状をなす軸部２１１の突縁部２０３側（Ｙ２側）の端部に、軸部２１１よりも径が大きな略円柱状の先端部２１２が設けられ、この先端部２１２の先端面は先端側が凸となる半球状をなしている。軸部２１１の第１基体２０１側の前方端部２１３は、突縁部２０３側から順に、圧縮コイルばね２３０、固定部材２０４、及び、第１基体２０１に挿通されて、第１基体２０１の外部へ延出し、操作部２１４に螺合されている。これにより、係入ピン２１０は、本体部２００の中心軸ＡＸ１に沿って、本体部２００に対して相対変位可能となっている。
【００２８】
ここで、圧縮コイルばね２３０の内径は、係入ピン２１０の軸部２１１の外径よりも大きく、先端部２１２の外径よりも小さくされている。このため、係入ピン２１０が挿通された圧縮コイルばね２３０は、図６（ａ）に示すように、一方の端部が係入ピン２１０の先端部２１２に当接して抜け止められている。一方、圧縮コイルばね２３０の操作部２１４側の端部は固定部材２０４に当接している。よって、圧縮コイルばね２３０は、一端が固定部材２０４を介して本体部２００に支持され、他端が係入ピン２１０に支持されている。この構成より、係入ピン２１０は、圧縮コイルばね２３０の弾性力によって、本体部２００の中心軸ＡＸ１に沿って、突縁部２０３側へ、さらには、第２基体２０２から離れる側へ付勢され、外力を加えない状態（図６（ａ））では、第２基体２０２の外部へ延出している。これに対して、係入ピン２１０と一体となった操作部２１４を、圧縮コイルばね２３０の弾性力に抗して、中心軸ＡＸ１に沿って、第１基体２０１から離れる方向へ引き上げると、係入ピン２１０は、先端部２１２がほぼ突縁部２０３内に隠れる位置まで変位可能となっている（図７（ｂ）参照）。
【００２９】
＜雌ホック＞
図５に示すように、雌ホック３０は、全体略円筒形状で中心軸ＡＸ２を有する基体３００と、リング形状の第２磁石３１０と、円板状の支持板３２０とを備える。
【００３０】
基体３００は、上面（前側（Ｙ１側）の面）に一対の係合突起部３０１ａ、３０１ｂを備え、その後側（Ｙ２側）の底部３０２には、厚み方向に貫通する係入孔３０３（第１の係入孔）が設けられている。
【００３１】
一対の係合突起部３０１ａ、３０１ｂは、基体３００の外周に沿って、基体３００の上面から前側に突出するように設けられている。この一対の係合突起部３０１ａ、３０１ｂは、基体３００の平面中心に関して互いに対称な位置に設けられ、かつ、互いに対称な形状を有する。ここで、基体３００の平面中心は、中心軸ＡＸ２に沿って見た円形の平面において中心軸ＡＸ２が通る所である。
【００３２】
基体３００の外周に沿った領域において、一対の係合突起部３０１ａ、３０１ｂの間には、雄ホック２０の突縁部２０３を基体３００の面方向（基体３００の中心軸ＡＸ２に直交する方向）に沿って挿入可能とする、一対の挿入口３０４ａ、３０４ｂが形成されている。この一対の挿入口３０４ａ、３０４ｂは、上記平面中心に関して互いに対称に設けられている。
【００３３】
一対の係合突起部３０１ａ、３０１ｂの内面には、放射方向外側へ凹むように形成され、雄ホック２０の突縁部２０３を係入可能な係合溝３０５ａ、３０５ｂがそれぞれ設けられている。係合溝３０５ａ、３０５ｂは、上記平面中心に関して互いに対称となるように設けられている。
【００３４】
なお、一対の係合突起部は、基体３００の平面中心に関して互いに対称な位置に設けられ、その間に２つの挿入口が設けられていれば、互いに対称な形状でなくてもよい。また、２つの挿入口は互いに対称な形状でなくてもよい。
【００３５】
係入孔３０３は、基体３００の中心軸ＡＸ２に沿って見た平面視において、円形状をなすように設けられている。この係入孔３０３の中心軸は、基体３００の中心軸ＡＸ２と同一である。
【００３６】
係入孔３０３には、外径が係入孔３０３の内径と略同一の第２磁石３１０が挿入・固定されている。第２磁石３１０は、その中心軸が係入孔３０３の中心軸ＡＸ２に載るように配置される。したがって、第２磁石３１０は、底部３０２において、底部３０２の中心位置（中心軸ＡＸ２の位置）に配置されている。第２磁石３１０においては、前後方向（Ｙ１−Ｙ２方向）の両端面に互いに逆の極性を有する磁極が配置されている。これらの極性は、第１磁石２２０と逆向きに設定されている。これにより、雄ホック２０の突縁部２０３が係合突起部３０１から基体３００の内部に係入されたとき、第１磁石２２０は、基体３００の底部３０２に近接し、第２磁石３１０に対して吸着又は吸引が可能な状態となる（図６（ｂ）参照）。
【００３７】
第２磁石３１０には、その中心軸（係入孔３０３の中心軸ＡＸ２）に沿って、厚み方向に貫通する第２の係入孔としての孔部３１１が設けられている。この孔部３１１は、係入ピン２１０の先端部２１２を挿通（係入）可能な内径を有する。
【００３８】
図４に示すように、第２磁石３１０の固定された基体３００と、支持板３２０とは、表片１３を挟んで、複数のビス３３０によって互いに固定され、これによって雌ホック３０は表片１３に固定される。
【００３９】
＜雄ホックと雌ホックの係合及び解除＞
まず、図６（ａ）に示すように、前後方向（Ｙ１−Ｙ２方向）に互いに対向するように、雄ホック２０と雌ホック３０を配置する。このとき、雄ホック２０は、本体部２００の中心軸ＡＸ１が、基体３００の中心軸ＡＸ２よりも下側（Ｚ２側）に位置するように配置される。これにより、雄ホック２０を前後方向に沿って雌ホック３０側へ変位させたときに、係合突起部３０１の前面に突縁部２０３が衝突することを避けることができ、以下の係合操作を円滑に進めることができる。このとき、係入ピン２１０は、圧縮コイルばね２３０の弾性力によって、第２基体２０２から下側へ延出している。
【００４０】
次に、図６（ｂ）に示すように、雌ホック３０の一対の係合突起部３０１ａ、３０１ｂの内側へ、雄ホック２０の第２基体２０２側を挿入する。第２基体２０２が底部３０２に当接するまで挿入すると、係入ピン２１０の後端部（Ｙ２側の端部）に設けた先端部２１２が底部３０２に押しつけられ、これによって、底部３０２との接触を維持したまま、圧縮コイルばね２３０の弾性力に抗して係入ピン２１０は第１基体２０１側へ後退するように変位し、第２基体２０２内に収容される。
【００４１】
図６（ａ）に示す状態においては、雄ホック２０内の第１磁石２２０と、雌ホック３０内の第２磁石３１０とは、上下方向（Ｚ１−Ｚ２方向）においてずれた位置に配置されている。この状態から、図６（ｂ）に示すように、第１磁石２２０と第２磁石３１０の前後方向（Ｙ１−Ｙ２方向）の距離を小さくするように接近させると、第１磁石２２０と第２磁石３１０との間で磁気的な吸着力が生じる。この吸着力により、図６（ｂ）に示す状態から、第１磁石２２０と第２磁石３１０が正対する位置まで、雄ホック２０の第２基体２０２が底部３０２と略接触しつつ上側（Ｚ１側）へスライド移動する（図６（ｃ）の状態）。この結果、上下方向において、係入ピン２１０が第２磁石３１０の孔部３１１に対向する位置に到達するため、圧縮コイルばね２３０の弾性力によって、係入ピン２１０が後側（Ｙ２側）へ変位して先端部２１２が孔部３１１内に挿通され、その先端面が底部３０２に当接する。これにより、雄ホック２０の上下方向の移動が規制される。さらに、雄ホック２０が上側へスライド移動したことによって、突縁部２０３が、一対の係合突起部３０１ａ、３０１ｂのそれぞれの係合溝３０５ａ、３０５ｂ内に侵入して互いに係合するため、前後方向の移動も規制される。これらの規制により、第１磁石２２０と第２磁石３１０が互いに吸着された状態が維持され、雄ホック２０と雌ホック３０とが互いに係合・固定される。
【００４２】
雄ホック２０と雌ホック３０が固定された係合状態（図６（ｃ）、図７（ａ））を解除するためには、まず、係入ピン２１０を前側（Ｙ１側）へ引き上げる（図６（ｂ）の状態）。これにより、係入ピン２１０によるスライド移動の規制がなくなるため、雄ホック２０を下側（Ｚ２側）へスライドさせることが可能となる。雄ホック２０を下側へスライドさせると、突縁部２０３と係合溝３０５ａ、３０５ｂの係合が解除されるため前後方向の移動が可能となる。雄ホック２０の下側へのスライド移動によって、第１磁石２２０と第２磁石３１０の距離が大きくなり、両者の間の磁気的な吸着力が弱まるため、雌ホック３０から雄ホック２０を容易に離間させることが可能となり、係合状態を解除することができる（図７（ｃ））。
【００４３】
以上のように、雌ホック３０の一対の係合突起部３０１ａ、３０１ｂ内へ雄ホック２０を挿入することにより、第１磁石２２０と第２磁石３１０との間の磁気的な吸着力が生じ、この吸着力によって雄ホック２０がスライド移動し、雌ホック３０と雄ホック２０が互いに係合し固定されるため、簡便な操作で確実に固定することができる。また、磁気的な吸着力と、突縁部２０３と係合溝３０５ａ、３０５ｂの係合とによって固定が維持されるため、簡単な構成で高い耐久性を得ることができる。
【００４４】
以下に変形例について説明する。
図６に示す例では、上述のように、雄ホック２０を、基体３００の中心軸ＡＸ２よりも下側（Ｚ２側）に位置するように配置し、第１磁石２２０と第２磁石３１０との間の磁気的な吸着力によって、雄ホック２０の第２基体２０２を上側（Ｚ１側）へスライド移動させ、これによって雄ホック２０と雌ホック３０を互いに係合させていたが、雄ホック２０を、基体３００の中心軸ＡＸ２よりも上側（Ｚ１側）に位置するように配置しても、第１磁石２２０と第２磁石３１０との間の磁気的な吸着力によって、雄ホック２０の第２基体２０２を下側（Ｚ２側）へスライド移動させることができ、これによって雄ホック２０と雌ホック３０を互いに係合させることができる。
【００４５】
また、図７に示す例では、上述のように、雄ホック２０を下側（Ｚ２側）へスライドさせることによって、雄ホック２０と雌ホック３０との係合を解除していたが、雄ホック２０を上側（Ｚ１側）へスライドすることによっても上記係合を解除することができる。
【００４６】
第１磁石２２０は、上記実施形態ではリング状として係入ピン２１０を挿通していたが、本体部２００の中心軸ＡＸ１の近傍、別言すると係入ピン２１０の近傍に配置していれば、リング状以外の形状であってもよい。例えば、係入ピン２１０を挿通させることなく、近接して配置する形態でもよい。
【００４７】
また、第１磁石２２０は、係入ピン２１０と一体として変位可能な構成にしてもよい。これにより、雄ホック２０と雌ホック３０の係合解除時の係入ピン２１０の引き上げによって第１磁石２２０も引き上げられるため、第１磁石２２０と第２磁石３１０の間の吸着力を小さくすることができ、係合の解除を容易にすることが可能となる。
【００４８】
上記実施形態では、付勢手段として圧縮コイルばね２３０を用いたが、係入ピン２１０を付勢することができれば、これ以外の弾性を有する部材を用いても良い。
本考案について上記実施形態を参照しつつ説明したが、本考案は上記実施形態に限定されるものではなく、改良の目的又は本考案の思想の範囲内において改良又は変更が可能である。
【産業上の利用可能性】
【００４９】
以上のように、本考案に係る留め具は、簡単な構成で、操作性に優れ、かつ、耐久性に優れている点で有用である。
【符号の説明】
【００５０】
１０      バッグ（かばん）
１１      開口部
１２      折り返し蓋
１３      表片
１４      本体
２０      雄ホック
３０      雌ホック
１００    留め具
２００    本体部
２００ａ  空間
２０１    第１基体
２０２    第２基体
２０３    突縁部
２０４    固定部材
２１０    係入ピン（係入部）
２１１    軸部
２１２    先端部
２１３    前方端部
２１４    操作部
２２０    第１磁石
２３０    圧縮コイルばね（付勢手段）
３００    基体
３０１ａ、３０１ｂ    係合突起部
３０２    底部
３０３    係入孔
３０４ａ、３０４ｂ  挿入口
３０５ａ、３０５ｂ  係合溝
３１０    第２磁石
３１１    孔部（係入孔）
３２０    支持板
３３０    ビス
ＡＸ１、ＡＸ２  中心軸
【図１】
0003226794.tif 000003
【図２】
0003226794.tif 000004
【図３】
0003226794.tif 000005
【図４】
0003226794.tif 000006
【図５】
0003226794.tif 000007
【図６】
0003226794.tif 000008
【図７】
0003226794.tif 000009